(57)【要約】【課題】カセットガイドに収容された発熱部品の温度を効率的に低減させる。【解決手段】  給紙装置は、シートを収容するシートカセット１１と、シートカセット１１が引き出し可能に挿入されるカセット挿入部と、カセット挿入部に配置され、シートカセット１１の挿抜方向と直交する幅方向外側に対向するカセットガイド１３と、を備え、シートカセット１１の幅方向外側の面には、整流板２７が設けられ、カセットガイド１３の内部には、発熱部品３６の収容空間３５が設けられ、カセットガイド１３の幅方向内側の面には、収容空間３５と連通する取込穴３９が設けられ、シートカセット１１がカセット挿入部から引き出されるか、又は、シートカセット１１がカセット挿入部に挿入される時、シートカセット１１の移動に伴う整流板２７の移動によって空気流が発生し、この空気流が取込穴３９を介して収容空間３５に取り込まれる。【選択図】図５
2020196558.tif 000002
【特許請求の範囲】
【請求項１】
シートを収容するシートカセットと、
前記シートカセットが引き出し可能に挿入されるカセット挿入部と、
前記カセット挿入部に配置され、前記シートカセットの挿抜方向と直交する幅方向外側に対向するカセットガイドと、を備え、
前記シートカセットの幅方向外側の面には、整流板が設けられ、
前記カセットガイドの内部には、発熱部品の収容空間が設けられ、
前記カセットガイドの幅方向内側の面には、前記収容空間と連通する取込穴が設けられ、
前記シートカセットが前記カセット挿入部から引き出されるか、又は、前記シートカセットが前記カセット挿入部に挿入される時、前記シートカセットの移動に伴う前記整流板の移動によって空気流が発生し、この前記空気流が前記取込穴を介して前記収容空間に取り込まれることを特徴とする給紙装置。
【請求項２】
前記整流板は、前記シートカセットの前記幅方向外側に向けて延出され、
前記取込穴は、前記カセット挿入部に対する前記シートカセットの前記挿抜方向に所定角度で傾斜していることを特徴とする請求項１に記載の給紙装置。
【請求項３】
前記取込穴は、
前記挿抜方向のうち挿入方向における上流側から下流側に向かうのに伴って前記シートカセットの幅方向外側に近づくように傾斜する第１取込穴と、
前記挿抜方向のうち引き出し方向における上流側から下流側に向かうのに伴って前記シートカセットの幅方向外側に近づくように傾斜する第２取込穴と、を含んでいることを特徴とする請求項２に記載の給紙装置。
【請求項４】
前記カセットガイドの上面には、前記収容空間と連通する通気口が設けられていることを特徴とする請求項１〜３のいずれか１項に記載の給紙装置。
【請求項５】
開閉可能なカバーを更に備え、
前記カバーは、
前記カセットガイドに回転可能に支持されるカバー本体と、
前記カバー本体に取り付けられる蓋部材と、を備え、
前記蓋部材は、前記カバーが閉止された状態で前記通気口を開放し、前記カバーが開放された状態で前記通気口を閉止することを特徴とする請求項４に記載の給紙装置。
【請求項６】
前記蓋部材は、可撓性を有しており、
前記カセットガイドには、前記通気口に沿って前記蓋部材をスライド可能に支持するガイドレールが設けられていることを特徴とする請求項５に記載の給紙装置。
【請求項７】
前記整流板の幅方向外側の縁部は、上下方向の全域にわたって、上下方向に沿って直線状に延びていることを特徴とする請求項１〜６のいずれか１項に記載の給紙装置。
【請求項８】
前記シートカセットは、
シートの下方を覆う底壁と、
前記底壁から上方に向かって延びており、シートの幅方向外側を覆う側壁と、を備え、
前記整流板は、前記側壁の幅方向外側の面から突出していることを特徴とする請求項１〜７のいずれか１項に記載の給紙装置。
【請求項９】
請求項１〜８のいずれか１項に記載の給紙装置を備えていることを特徴とする画像形成装置。
【発明の詳細な説明】
【技術分野】
【０００１】
本発明は、給紙装置及び画像形成装置に関する。
【背景技術】
【０００２】
従来、画像形成装置は、シートを搬送路に供給するための給紙装置を備えている。この給紙装置は、例えば、用紙を収容するシートカセットと、シートカセットが引き出し可能に挿入されるカセット挿入部と、カセット挿入部に配置され、シートカセットの幅方向外側を覆うカセットガイドと、を備えている（特許文献１参照）。
【先行技術文献】
【特許文献】
【０００３】
【特許文献１】特開２０１７−３９０７号公報
【発明の概要】
【発明が解決しようとする課題】
【０００４】
上記のカセットガイドには、基板やモーター等の発熱部品が収容される場合がある。このような場合に、カセットガイドに通気穴を設けるだけでは、発熱部品の温度を十分に低減させることができない恐れがある。
【０００５】
そこで、本発明は、カセットガイドに収容された発熱部品の温度を効率的に低減させることを目的とする。
【課題を解決するための手段】
【０００６】
本発明の一態様に係る給紙装置は、シートを収容するシートカセットと、前記シートカセットが引き出し可能に挿入されるカセット挿入部と、前記カセット挿入部に配置され、前記シートカセットの挿抜方向と直交する幅方向外側に対向するカセットガイドと、を備え、前記シートカセットの幅方向外側の面には、整流板が設けられ、前記カセットガイドの内部には、発熱部品の収容空間が設けられ、前記カセットガイドの幅方向内側の面には、前記収容空間と連通する取込穴が設けられ、前記シートカセットが前記カセット挿入部から引き出されるか、又は、前記シートカセットが前記カセット挿入部に挿入される時、前記シートカセットの移動に伴う前記整流板の移動によって空気流が発生し、この前記空気流が前記取込穴を介して前記収容空間に取り込まれることを特徴とする。
【０００７】
前記整流板は、前記シートカセットの前記幅方向外側に向けて延出され、前記取込穴は、前記カセット挿入部に対する前記シートカセットの挿抜方向に所定角度で傾斜していても良い。
【０００８】
前記取込穴は、前記挿抜方向のうち挿入方向における上流側から下流側に向かうのに伴って前記シートカセットの幅方向外側に近づくように傾斜する第１取込穴と、前記挿抜方向のうち引き出し方向における上流側から下流側に向かうのに伴って前記シートカセットの幅方向外側に近づくように傾斜する第２取込穴と、を含んでいても良い。
【０００９】
前記カセットガイドの上面には、前記収容空間と連通する通気口が設けられていても良い。
【００１０】
前記給紙装置は、開閉可能なカバーを更に備え、前記カバーは、前記カセットガイドに回転可能に支持されるカバー本体と、前記カバー本体に取り付けられる蓋部材と、を備え、前記蓋部材は、前記カバーが閉止された状態で前記通気口を開放し、前記カバーが開放された状態で前記通気口を閉止しても良い。
【００１１】
前記蓋部材は、可撓性を有しており、前記カセットガイドには、前記通気口に沿って前記蓋部材をスライド可能に支持するガイドレールが設けられていても良い。
【００１２】
前記整流板の幅方向外側の縁部は、上下方向の全域にわたって、上下方向に沿って直線状に延びていても良い。
【００１３】
前記シートカセットは、シートの下方を覆う底壁と、前記底壁から上方に向かって延びており、シートの幅方向外側を覆う側壁と、を備え、前記整流板は、前記側壁の幅方向外側の面から突出していても良い。
【００１４】
本発明の一態様に係る画像形成装置は、前記給紙装置を備えていることを特徴とする。
【発明の効果】
【００１５】
本発明によれば、カセットガイドに収容された発熱部品の温度を効率的に低減させることができる。
【図面の簡単な説明】
【００１６】
【図１】本発明の一実施形態に係る画像形成装置を示す模式的な側面図である。
【図２】本発明の一実施形態に係る画像形成装置を示す斜視図である。
【図３】本発明の一実施形態に係るシートカセットを示す斜視図である。
【図４】本発明の一実施形態に係る左側のカセットガイドを示す斜視図である。
【図５】図４のＶ−Ｖ線における断面図である。
【図６】図４のＶＩ−ＶＩ線における断面図である。
【図７】本発明の一実施形態に係る給紙装置において、リアカバーが閉止された状態を示す斜視断面図である。
【図８】本発明の一実施形態に係る給紙装置において、リアカバーが開放された状態を示す斜視断面図である。
【発明を実施するための形態】
【００１７】
以下、図面を参照しつつ、本発明の一実施形態に係る画像形成装置１について説明する。以下、説明の便宜上、図１における紙面右側を画像形成装置１の前側と定義する。各図に適宜付される矢印Ｆｒ、Ｒｒ、Ｌ、Ｒ、Ｕ、Ｌｏは、それぞれ画像形成装置１の前側、後側、左側、右側、上側、下側を示している。
【００１８】
まず、画像形成装置１の構成の概略について説明する。
【００１９】
図１を参照して、画像形成装置１は、例えば、電子写真方式のプリンターである。画像形成装置１は、箱型の装置本体２を備えている。装置本体２の内部には、シートＳの搬送路３が設けられている。搬送路３の上流端部には、給紙装置４が設けられている。搬送路３の中流部には、画像形成部５が設けられている。搬送路３の下流部には、定着装置６が設けられている。搬送路３の下流端部には、排紙トレイ７が設けられている。
【００２０】
次に、画像形成装置１の動作について説明する。
【００２１】
給紙装置４によって搬送路３に送り出されたシートＳは、搬送路３を下流側へと搬送されて、画像形成部５に進入する。画像形成部５は、シートＳにトナー画像を形成する。トナー画像を形成されたシートＳは、搬送路３を更に下流側へと搬送されて、定着装置６に進入する。定着装置６は、シートＳにトナー画像を定着させる。トナー画像が定着されたシートＳは、搬送路３の下流端部から排紙トレイ７に排出される。
【００２２】
次に、給紙装置４について更に説明する。
【００２３】
図１、図２を参照して、給紙装置４は、装置本体２の前面を開口したカセット挿入部１０と、カセット挿入部１０の開口から挿入されるシートカセット１１と、シートカセット１１の上方に設けられる給紙ユニット１２と、カセット挿入部１０に配置され、シートカセット１１の挿抜方向と直交する左右方向両外側に対向する左右一対のカセットガイド１３（図２において左側のカセットガイド１３のみを表示）と、カセット挿入部１０の後上方に設けられるリアカバー１４（カバーの一例）と、を備えている。以下、給紙装置４の各構成要素について順番に説明する。
【００２４】
まず、給紙装置４のカセット挿入部１０について説明する。
【００２５】
図１、図２を参照して、カセット挿入部１０は、装置本体２の前面の下端部に設けられている。カセット挿入部１０は、前面から後方に向かって延びている。カセット挿入部１０の前端部は、開口されている。カセット挿入部１０の後方は、リアプレート（図示せず）によって覆われている。
【００２６】
次に、給紙装置４のシートカセット１１について説明する。
【００２７】
図１を参照して、シートカセット１１は、カセット挿入部１０に挿入される位置（図１の実線参照）と、カセット挿入部１０から前方に引き出される位置（図１の二点鎖線参照）と、の間で前後方向に移動可能に設けられている。つまり、シートカセット１１は、カセット挿入部１０に引き出し可能に挿入されている。各図に適宜付される矢印Ｘは、シートカセット１１の挿抜方向のうち、カセット挿入部１０へのシートカセット１１の挿入方向（以下、「挿入方向Ｘ」と称する）を示している。各図に適宜付される矢印Ｙは、シートカセット１１の挿抜方向のうち、カセット挿入部１０からのシートカセット１１の引き出し方向（以下、「引き出し方向Ｙ」と称する）を示している。シートＳは、給紙ユニット１２によってシートカセット１１から前方に送り出されている。つまり、シートカセット１１からのシートＳの給送方向は、シート幅方向に直交し、シートカセット１１から前方に向かう方向である。
【００２８】
図３を参照して、シートカセット１１は、シートＳを収容している。シートカセット１１は、前後方向に長い形状を成している。つまり、本実施形態では、前後方向がシートカセット１１の長手方向であり、左右方向がシートカセット１１の幅方向である。
【００２９】
シートカセット１１は、カセット本体１６と、カセット本体１６の中央部に取り付けられるリフト板１７と、カセット本体１６の左右方向両側部に取り付けられる左右一対のサイドカーソル１８と、カセット本体１６の後部に取り付けられるエンドカーソル１９と、を備えている。
【００３０】
シートカセット１１のカセット本体１６は、底壁２１と、底壁２１の左右方向両端部から上方に向かって延びる左右両側壁２２、２３（左側壁２２、右側壁２３）と、底壁２１及び左右両側壁２２、２３の前方を覆う前壁２４と、を備えている。
【００３１】
カセット本体１６の底壁２１は、水平に設けられている。底壁２１は、平面視で長方形状を成している。底壁２１は、シートカセット１１に収容されたシートＳの下方を覆っている。
【００３２】
カセット本体１６の左右両側壁２２、２３は、底壁２１に対して垂直に設けられている。左右両側壁２２、２３は、前後方向に沿って延びている。左右両側壁２２、２３は、シートカセット１１に収容されたシートＳの左右方向外側を覆っている。
【００３３】
カセット本体１６の左側壁２２の左面（左右方向外側の面）には、上下一対のリブ２６が突出している。各リブ２６は、カセット本体１６の左側壁２２と一体に形成されている。各リブ２６は、前後方向に沿って延びている。
【００３４】
カセット本体１６の左側壁２２の左面（左右方向外側の面）には、前後一対の整流板２７が突出している。各整流板２７は、カセット本体１６の左側壁２２と一体に形成されている。各整流板２７は、左側壁２２から挿入方向Ｘ及び引き出し方向Ｙに対して垂直に延出され、かつ鉛直方向に幅を持って形成されている。各整流板２７の上下方向両端部は、各リブ２６に接続されている。各整流板２７は、正面視で長方形状を成している。各整流板２７の左縁部２８（左右方向外側の縁部）は、上下方向の全域にわたって、上下方向に沿って直線状に延びている。
【００３５】
カセット本体１６の前壁２４は、左右方向に沿って延びている。前壁２４の上部には、リタードローラー２９が回転可能に支持されている。リタードローラー２９には、トルクリミッター（図示せず）が内蔵されている。
【００３６】
シートカセット１１のリフト板１７は、カセット本体１６の底壁２１の上方に配置されている。リフト板１７の後端部は、カセット本体１６の底壁２１に回転可能に取り付けられている。また、リフト板１７の裏面には作動片が設けられており、作動片には昇降機構としてのリフトモーター３７（図４参照）が連結されている。リフトモーター３７の駆動力によってリフト板１７が後端部を支点に揺動可能となっている。
【００３７】
シートカセット１１の各サイドカーソル１８は、カセット本体１６によって左右方向に移動可能に支持されている。各サイドカーソル１８は、シートカセット１１に収容されたシートＳの左右方向両端部に接触することで、シートカセット１１に収容されたシートＳの左右方向の位置を規制する。
【００３８】
シートカセット１１のエンドカーソル１９は、カセット本体１６によって前後方向に移動可能に支持されている。エンドカーソル１９は、シートカセット１１に収容されたシートＳの後端部に接触することで、シートカセット１１に収容されたシートＳの前後方向の位置を規制する。
【００３９】
次に、給紙装置４の給紙ユニット１２について説明する。
【００４０】
図１を参照して、給紙ユニット１２は、ホルダー３１と、ホルダー３１の給送方向上流側に回転可能に保持されるピックアップローラー３２と、ホルダー３１の下流側に回転可能に保持されるフィードローラー３３と、を備えている。フィードローラー３３は、シートカセット１１のリタードローラー２９に接触している。
【００４１】
次に、給紙装置４の各カセットガイド１３について更に説明する。
【００４２】
図４を参照して、各カセットガイド１３（図４では、左側のカセットガイド１３のみを表示）は、前後方向に長い形状を成している。つまり、本実施形態では、前後方向が各カセットガイド１３の長手方向であり、左右方向が各カセットガイド１３の幅方向である。
【００４３】
左側のカセットガイド１３は、箱型を成している。左側のカセットガイド１３の内部には、前後方向に沿って収容空間３５が形成されている。収容空間３５の後部には、基板３６（発熱部品の一例）が収容されている。基板３６は、例えば、装置本体２に設けられたメイン基板（図示せず）の機能を拡張するためのオプション基板である。収容空間３５の前部には、リフトモーター３７（発熱部品の一例）が収容されている。リフトモーター３７は、接続機構（図示せず）を介してシートカセット１１（図３参照）のリフト板１７に接続されている。
【００４４】
図４、図５を参照して、左側のカセットガイド１３の右側面（左右方向内側の面）には、４個の第１取込穴３９が前後方向に並んでいる。各第１取込穴３９は、上下方向に長い形状を成している。各第１取込穴３９は、収容空間３５の後部（基板３６を収容している部分）と連通している。各第１取込穴３９は、前側（挿入方向Ｘにおける上流側）から後側（挿入方向Ｘにおける下流側）に向かうのに伴って左側（左右方向外側）に近づくように傾斜している。
【００４５】
図４、図６を参照して、左側のカセットガイド１３の右側面（左右方向内側の面）には、４個の第１取込穴３９の下方に、５個の第２取込穴４０が前後方向に並んでいる。各第２取込穴４０は、上下方向に長い形状を成している。各第２取込穴４０は、収容空間３５の後部（基板３６を収容している部分）と連通している。各第２取込穴４０は、後側（引き出し方向Ｙにおける上流側）から前側（引き出し方向Ｙにおける下流側）に向かうのに伴って左側（左右方向外側）に近づくように傾斜している。
【００４６】
図４を参照して、左側のカセットガイド１３の右側面（左右方向内側の面）には、各取込穴３９、４０よりも前側（引き出し方向Ｙにおける下流側）に、連通穴４１が設けられている。連通穴４１は、収容空間３５の前部（リフトモーター３７を収容している部分）と連通している。
【００４７】
図７、図８を参照して、左側のカセットガイド１３の上面の後端部には、各取込穴３９、４０よりも後側（挿入方向Ｘにおける下流側）に、通気口４２が設けられている。通気口４２は、収容空間３５の後端部と連通している。
【００４８】
左側のカセットガイド１３の内面には、通気口４２の周りに、左右一対のガイドレール４３（図７、図８では、右側のガイドレール４３のみを表示）が突出している。各ガイドレール４３は、前下方に向かって膨らむように円弧状に湾曲している。各ガイドレール４３の上下方向中央部には、ガイド溝４４が設けられている。
【００４９】
各カセットガイド１３（図７、図８では、左側のカセットガイド１３のみを表示）の後面の上端部には、カバー支持部４６が突出している。カバー支持部４６の中心部には、係合穴４７が設けられている。左側のカセットガイド１３の後面には、カバー支持部４６の下方に、貫通穴４８が設けられている。
【００５０】
次に、給紙装置４のリアカバー１４について更に説明する。
【００５１】
図１を参照して、リアカバー１４は、装置本体２に対して閉止される位置（図１の実線参照）と、装置本体２に対して開放される位置（図１の二点鎖線参照）と、の間で回転可能に設けられている。つまり、リアカバー１４は、装置本体２に対して開閉可能に設けられている。
【００５２】
図７、図８を参照して、リアカバー１４は、カバー本体５１と、カバー本体５１の左下端部に取り付けられる蓋部材５２と、を備えている。
【００５３】
リアカバー１４のカバー本体５１は、例えば、樹脂によって形成されている。カバー本体５１は、リアカバー１４が閉止された状態（図７参照）でシートＳの搬送路３を覆い、リアカバー１４が開放された状態（図８参照）でシートＳの搬送路３を露出させる。
【００５４】
カバー本体５１の下端部には、左右一対の延出部５４（図７、図８では、左側の延出部５４のみを表示）が下方に向かって延出している。各延出部５４の下端部には、ボス５５が設けられている。ボス５５は、各カセットガイド１３のカバー支持部４６に設けられた係合穴４７に係合している。これにより、カバー本体５１が各カセットガイド１３のカバー支持部４６に回転可能に支持されている。
【００５５】
リアカバー１４の蓋部材５２は、リアカバー１４が閉止された状態（図７参照）で、左側のカセットガイド１３の通気口４２を開放する。蓋部材５２は、リアカバー１４が開放された状態（図８参照）で、左側のカセットガイド１３の通気口４２を閉止する。
【００５６】
蓋部材５２は、例えば、ＰＥＴフィルム（Polyethylene  Terephthalate  Film）等の樹脂フィルムによって形成されており、可撓性を有している。蓋部材５２は、カバー本体５１とは別体に形成されている。蓋部材５２は、カバー本体５１の左側の延出部５４の下端部に取り付けられている。蓋部材５２は、左側のカセットガイド１３の貫通穴４８を貫通し、収容空間３５の後端部に挿入されている。蓋部材５２の左右方向両端部（図７、図８では、右端部のみを表示）は、左側のカセットガイド１３の各ガイドレール４３に設けられたガイド溝４４に係合している。これにより、蓋部材５２が左側のカセットガイド１３の各ガイドレール４３によってスライド可能に支持されている。
【００５７】
次に、給紙装置４による給紙動作について説明する。
【００５８】
ユーザーやサービスマン等の作業者がシートカセット１１をカセット挿入部１０に挿入すると、リフトモーター３７が駆動する。このようにリフトモーター３７が駆動すると、リフトモーター３７の駆動力が接続機構（図示せず）を介してリフト板１７に伝達されて、リフト板１７が後端部を支点に揺動する。これにより、シートカセット１１に収容されたシートＳがリフト板１７によって持ち上げられて、ピックアップローラー３２に接触する。
【００５９】
このようにシートＳがピックアップローラー３２に接触した状態でピックアップローラー３２が回転すると、ピックアップローラー３２によってシートＳがシートカセット１１から取り出される。このようにピックアップローラー３２によってシートカセット１１から取り出されたシートＳは、フィードローラー３３及びリタードローラー２９によって捌かれた後、搬送路３へと送り出される。
【００６０】
ところで、画像形成装置１の電源がＯＮになると、基板３６が発熱する。また、上記のようにリフトモーター３７が駆動すると、リフトモーター３７も発熱する。以下、発熱した基板３６やリフトモーター３７を冷却する方法について説明する。
【００６１】
作業者がシートカセット１１をカセット挿入部１０に挿入すると、図５に矢印Ａで示されるように、シートカセット１１の各整流板２７（図５では、１個のみを表示）が前側（挿入方向Ｘにおける上流側）から後側（挿入方向Ｘにおける下流側）に向かって移動する。これに伴って、各整流板２７の後方の空間にある空気が各整流板２７によって後方に押されるため、前側から後側に向かう空気流が発生する（図５の点線矢印参照）。この空気流は、左側のカセットガイド１３の各取込穴３９、４０（特に、各第１取込穴３９）を介して収容空間３５に取り込まれ、基板３６の周辺を通過する。これにより、空気流によって基板３６が冷却される。基板３６の周辺を通過した空気流は、左側のカセットガイド１３の通気口４２を介して収容空間３５から排出される。
【００６２】
一方で、作業者がシートカセット１１をカセット挿入部１０から引き出すと、図６に矢印Ｂで示されるように、シートカセット１１の各整流板２７（図６では、１個のみを表示）が後側（引き出し方向Ｙにおける上流側）から前側（引き出し方向Ｙにおける下流側）に向かって移動する。これに伴って、各整流板２７の前方の空間にある空気が各整流板２７によって前方に押されるため、後側から前側に向かう空気流が発生する（図６の点線矢印参照）。この空気流は、左側のカセットガイド１３の各取込穴３９、４０（特に、各第２取込穴４０）を介して収容空間３５に取り込まれ、基板３６の周辺を通過する。これにより、空気流によって基板３６が冷却される。基板３６の周辺を通過した空気流は、収容空間３５を後側から前側に向かって流れて、リフトモーター３７の周辺を通過する。これにより、空気流によってリフトモーター３７が冷却される。リフトモーター３７の周辺を通過した空気流は、左側のカセットガイド１３の連通穴４１等を介して収容空間３５から排出される。
【００６３】
以上のように、本実施形態では、シートカセット１１がカセット挿入部１０から引き出されるか、又は、シートカセット１１がカセット挿入部１０に挿入されると、各整流板２７の移動によって空気流が発生し、この空気流が各取込穴３９、４０を介して収容空間３５に取り込まれる。このような構成を採用することで、各取込穴３９、４０を介して収容空間３５に空気流を効率的に取り込むことができる。そのため、収容空間３５に収容された基板３６やリフトモーター３７の温度を効率的に低減させることができる。
【００６４】
また、各取込穴３９、４０は、カセット挿入部１０に対するシートカセット１１の挿抜方向に所定角度で傾斜している。このような構成を採用することで、収容空間３５に空気流を一層効率的に取り込むことができる。
【００６５】
本実施形態では特に、各第１取込穴３９が挿入方向Ｘにおける上流側から下流側に向かうのに伴ってシートカセット１１の左右方向外側に近づくように傾斜しており、各第２取込穴４０が引き出し方向Ｙにおける上流側から下流側に向かうのに伴ってシートカセット１１の左右方向外側に近づくように傾斜している。このような構成を採用することで、カセット挿入部１０へのシートカセット１１の挿入時とカセット挿入部１０からのシートカセット１１の引き出し時の両方において、収容空間３５に空気流を効率的に取り込むことができる。
【００６６】
また、左側のカセットガイド１３の上面には、収容空間３５と連通する通気口４２が設けられている。このような構成を採用することで、収容空間３５の通気性を向上させることができるため、収容空間３５に収容された基板３６やリフトモーター３７の温度を一層効率的に低減させることができる。
【００６７】
また、リアカバー１４の蓋部材５２は、リアカバー１４が閉止された状態で左側のカセットガイド１３の通気口４２を開放し、リアカバー１４が開放された状態で左側のカセットガイド１３の通気口４２を閉止する。このような構成を採用することで、リアカバー１４が開放された状態でＪＡＭ処理や定着装置６のメンテナンス等が実施される時に、ビス等の小さな部品が通気口４２を介して収容空間３５に落下するのを防ぐことができる。
【００６８】
また、蓋部材５２は、可撓性を有しており、左側のカセットガイド１３には、通気口４２に沿って蓋部材５２をスライド可能に支持するガイドレール４３が設けられている。このような構成を採用することで、蓋部材５２の軌跡を安定させることができ、蓋部材５２によって通気口４２を確実に開閉することができる。
【００６９】
また、各整流板２７の左右方向外側の縁部２８は、上下方向の全域にわたって、上下方向に沿って直線状に延びている。このような構成を採用することで、各整流板２７の左右方向外側の縁部が部分的に凹んでいるような場合と比較して、各整流板２７の移動によって発生する空気流の風量を増大させることができる。そのため、より多くの空気流を収容空間３５に取り込むことができ、収容空間３５に収容された基板３６やリフトモーター３７の温度をより効率的に低減させることができる。
【００７０】
また、各整流板２７は、カセット本体１６の左側壁２２の左面（左右方向外側の面）から突出している。このような構成を採用することで、各整流板２７の移動によって発生した空気流が左側（左右方向内側）に向かって流れるのを抑制することができる。そのため、より多くの空気流を収容空間３５に取り込むことができ、収容空間３５に収容された基板３６やリフトモーター３７の温度をより効率的に低減させることができる。
【００７１】
また、画像形成装置１は、上記のような給紙装置４を備えている。このような構成を採用することで、収容空間３５に収容された基板３６やリフトモーター３７の温度を効率的に低減させることが可能な給紙装置４を備えた画像形成装置１を提供することができる。
【００７２】
本実施形態では、各取込穴３９、４０が挿入方向Ｘ又は引き出し方向Ｙにおける上流側から下流側に向かってシートカセット１１の左右方向外側に傾斜している。一方で、他の異なる実施形態では、各取込穴３９、４０が左右方向と平行に設けられていても良い。
【００７３】
本実施形態では、各整流板２７が挿入方向Ｘ及び引き出し方向Ｙに対して垂直に設けられている。一方で、他の異なる実施形態では、各整流板２７が挿入方向Ｘ及び引き出し方向Ｙに対して傾斜していても良い。
【００７４】
本実施形態では、リアカバー１４の蓋部材５２がカバー本体５１とは別体に設けられている。一方で、他の異なる実施形態では、リアカバー１４の蓋部材５２がカバー本体５１と一体に設けられていても良い。
【００７５】
本実施形態では、画像形成装置１がプリンターである。一方で、他の異なる実施形態では、画像形成装置１がコピー機、ファクシミリ、複合機（プリント機能、コピー機能及びファックス機能等を複合的に備えた画像形成装置）等であっても良い。
本実施形態では、画像形成装置１が電子写真方式を採用している。一方で、他の異なる実施形態では、画像形成装置１がインクジェット方式を採用していても良い。
【符号の説明】
【００７６】
１  画像形成装置
１０  カセット挿入部
１１  シートカセット
１３  カセットガイド
１４  リアカバー（カバーの一例）
２１  底壁
２２  左側壁
２７  整流板
２８  縁部
３５  収容空間
３６  基板（発熱部品の一例）
３７  リフトモーター（発熱部品の一例）
３９  第１取込穴
４０  第２取込穴
４２  通気口
４３  ガイドレール
５１  カバー本体
５２  蓋部材
Ｓ  シート
【図１】
2020196558.tif 000003
【図２】
2020196558.tif 000004
【図３】
2020196558.tif 000005
【図４】
2020196558.tif 000006
【図５】
2020196558.tif 000007
【図６】
2020196558.tif 000008
【図７】
2020196558.tif 000009
【図８】
2020196558.tif 000010